(57)【要約】【課題】各駐車場に入出庫の管理機能を持たせ、かつ不正車両に対する処理を可能とする、ロック板のない駐車場管理システムを提供する。【解決手段】  車両の入出庫は、入出庫管理装置で管理する。駐車料金の支払いをしない不正出庫発生時、入出庫管理装置と通信ネットワークで接続した不正出庫サーバの不正出庫データベースに、車両番号に関連付けて、入庫時の日付・時刻、料金額を含むデータを記録する。不正出庫サーバから不正出庫リストを送って、入出庫管理装置に保持し、入庫車両が不正出庫の履歴があるかを検索し、入出庫管理装置から不正出庫サーバへ不正出庫車両が入庫したことを当該車両番号とともに送信し、不正出庫サーバは、当該車両番号と、不正出庫車両データベースに当該車両番号に関連付けて記録されたデータを、定められた連絡先へ通知する。【選択図】  図1
2014222477.tif 000002
【特許請求の範囲】
【請求項１】
駐車場の車室毎に車両の入庫と出庫を管理し、利用者から駐車料金を徴収する駐車場管理システムであって、
駐車場に設け、車両の車室への入庫と出庫を管理する入出庫管理装置と、
駐車場に設け、入出庫管理装置と通信し、車室への車両の入庫と出庫を検知するための車両感知器と、
駐車場に設け、入出庫管理装置と通信し、車両の車両番号を認識する車両番号認識装置と、
入出庫管理装置と通信し、利用者から駐車料金の支払いを受けるための料金精算手段と、
所定の駐車場の全ての入出庫管理装置と通信ネットワークを介して通信可能な不正出庫サーバと、
不正出庫サーバに設け、不正出庫の一件ごとに、車両番号に関連付けて、駐車場を識別する駐車場ＩＤ、車室番号、入庫時の日付・時刻、出庫時の日付・時刻、料金額を記録する不正出庫車両データベースと、
入出庫管理装置に設けた記憶装置に記録される不正出庫車両リストとからなり、
利用者が駐車料金を支払いせずに車両を出庫した場合、車両番号認識装置が認識した不正出庫車両の車両番号に関連付けて、駐車場を識別する駐車場ＩＤ、車室番号、入庫時の日付・時刻、出庫時の日付・時刻、料金額を、不正出庫サーバの不正出庫車両データベースに記録し、
不正出庫サーバは、不正出庫車両データベースから不正出庫車両の車両番号を抽出した不正出庫車両リストを作成し、不正出庫サーバと通信ネットワークで接続している全ての入出庫管理装置へ、不正出庫車両リストを送信し、入出庫管理装置は不正出庫車両リストを受信して記憶装置に記録し、
入出庫管理装置は、車両検知器からの車両検知信号で車両が入庫したことを検知し、車両番号認識装置へ指示し駐車車両の車両番号を得て、前記不正出庫車両リストを検索して、不正出庫車両リストに当該車両番号が存在している場合、入出庫管理装置から不正出庫サーバへ不正出庫車両が入庫したことを当該車両番号とともに送信し、
不正出庫サーバは、当該車両番号と、不正出庫車両データベースに当該車両番号に関連付けて記録された、駐車場を識別する駐車場ＩＤ、車室番号、入庫時の日付・時刻、出庫時の日付・時刻、料金額を、あらかじめ定められた連絡先へ通知する、
ことを特徴とする駐車場管理システム。
【請求項２】
入庫した車両の車両番号が不正出庫車両リストに存在した場合、入出庫管理装置から不正出庫車両が入庫したこととともに当該車両番号の通知を受けた不正出庫サーバは、当該車両番号と、不正出庫車両データベースに当該車両番号に関連付けて記録された、駐車場を識別する駐車場ＩＤ、車室番号、入庫時の日付・時刻、出庫時の日付・時刻、料金額のデータを、不正出庫車両が入庫したことを通知してきた入出庫管理装置へ送信し、
当該送信されたデータを受信した入出庫管理装置は、料金精算手段へ同データを送信し、
料金精算手段は、今回の駐車場利用の料金と、不正出庫のときの駐車場利用の料金を合わせて利用者から徴収する、
ことを特徴とする請求項１に記載の駐車料管理システム。
【請求項３】
車両番号認識装置が、カメラで撮影したナンバープレートの画像から車両番号を認識するものであるか、ＥＴＣ車載器に記録された車両番号をＤＳＲＣ路側機で認識するものであるか、車両に取り付けたＲＦＩＤタグに記録された車両番号をＲＦＩＤリーダで読み取るか、いずれかの装置であることを特徴とする請求項１又は２のいずれかに記載の駐車料管理システム。
【請求項４】
駐車場の利用者に、駐車場周辺の所定の商業施設での取引に応じて駐車料金の割引サービスを提供する駐車場管理システムであって、
駐車場に、車両の駐車場への入庫と駐車場からの出庫を管理する入出庫管理装置を設け、
入出庫管理装置に、利用者のカードを読むためのカードリーダを有し、
料金精算手段に、利用者のカードを読むためのカードリーダを有し、
所定の商業施設に、利用者のカードを読むためのカードリーダを有する割引認証器を置き、
入出庫管理装置を通信ネットワークで接続するとともに所定の商業施設の割引認証器を通信ネットワークで接続する割引サーバであって、所定の商業施設での取引に応じて駐車料金を割引するための割引データを記録する割引データベースを有する割引サーバを設け、
利用者が駐車場へ入庫したとき、利用者は自己が保有しＩＤ番号が記録されているカードを入出庫管理装置のカードリーダへ読み込ませ、
入出庫管理装置は、入出庫管理装置のカードリーダがカードから読み出したＩＤ番号に関連付けて入庫時刻をメモリに記録し、
利用者が所定の商業施設で取引を行うと、当該商業施設の割引認証器で利用者のカードに記録されているＩＤ番号を読み込み、割引認証器に記録されている店舗ＩＤと取引金額と取引時刻とともに、割引サーバへ送り、
割引サーバは、送られてきたカードのＩＤ番号に関連付けて、店舗ＩＤと取引金額と取引時刻を割引データベースに記録し、
利用者が料金を支払うときには、利用者のカードを料金精算手段のカードリーダに読み込ませて、カードのＩＤ番号を読み出し、入出庫管理装置はメモリにカードのＩＤ番号に関連付けて記録されている入庫時刻を読み出し、入出庫管理装置は割引サーバへカードのＩＤ番号と入庫時刻を送って割引情報を問い合わせし、割引サーバは当該ＩＤ番号に関連付けて記録されている全ての取引金額、取引時刻、店舗ＩＤを割引データベースから読み出して、入庫時刻以降の取引について店舗ＩＤ毎に取引金額に対応する割引情報を全て考慮して計算した割引情報として入出庫管理装置へ送り、入出庫管理装置は受け取った割引情報を料金精算手段に送り、料金精算手段は、駐車料金の計算に、割引情報を加味して料金を算出し、
割引サーバは、利用者へ提供された割引の金額を店舗ＩＤごとに定期的に集計し、商業施設及び駐車場事業者の両方、またはそのいずれかへ集計結果を通知する、
ことを特徴とする駐車場管理システム。
【請求項５】
料金精算手段は、利用者が携行する携帯端末にカードリーダと料金精算機能を持つソフトウェアを有し、携帯端末が入出庫管理装置と無線通信により通信し、携帯端末が有する所定の決済手段により、駐車料金を支払うものであることを特徴とする、請求項４に記載した駐車場管理システム。
【請求項６】
利用者が携行する携帯端末と入出庫管理装置との無線通信が、ＮＦＣ又はＢｌｕｅｔｏｏｔｈ（登録商標）又は無線ＬＡＮ又はモバイル通信によるものであることを特徴とする請求項５に記載した駐車場管理システム。
【請求項７】
請求項１〜３のいずれか一に記載した駐車料管理システムにおいて、請求項４〜６のいずれか一に記載したものであることを特徴とする駐車料管理システム。
【請求項８】
利用者が保有するカードが、ＩＣカードであるか、ＩＣチップを内蔵した携帯電話機であるか、ＩＣチップを内蔵したスマートフォンであるか、ＩＣチップを内蔵した携帯ゲーム機であるか、磁気カードであるかまたは、バーコード、文字もしくは図形を記録したカードであり、
カードリーダは、ＩＣチップリーダ、磁気リーダ、バーコードリーダ、文字認識装置または図形認識装置であることを特徴とする請求項４〜７のいずれか一に記載した駐車場管理システム。
【発明の詳細な説明】
【技術分野】
【０００１】
本発明は、駐車場における不正出庫車両に対する処置を可能とする管理システムに関するものである。
【背景技術】
【０００２】
駐車場において不正出庫を防止するため、車室毎にロック板を敷設し、入庫した車両が駐車料金を支払うまでは車両を物理的に車室から退出不可とするロック板式駐車場が普及している。しかし、利用者がロック板付き車室へ車両を駐車する際の心理的な抵抗があること、ロック板で車両を損傷したり、ロック板の故障で出庫できないなどの事故が発生したりした場合のコストや、ロック板本体の設置や保守のコストが比較的大きいことが、ロック板式駐車場の欠点であった。
【０００３】
他の技術として、特許第５０４６５６０号に基づく技術により、駐車料金を支払わない不正車両に対して、車両のナンバープレートから読み取った車両番号を利用し、再度不正車両が駐車場を利用したときに未払い料金を加算して請求する方法で不正を防止しようとする、ロック板のない駐車場システムが実用化されている。
【０００４】
しかし、公知である上記特許第５０４６５６０号のロック板のない駐車場システムには次のような欠点があった。
ａ．駐車場の車室への車両の入庫・出庫の管理は、駐車料金の計算の基礎となる根幹の機能であるが、入庫・出庫の管理を、通信ネットワークで接続した「管理装置」で処理しているため、「管理装置」の動作停止または通信ネットワークの障害が発生すると、「管理装置」に接続する全ての駐車場において駐車場の入庫・出庫の管理ができなくなり、全駐車場の運用が停止するおそれがある。
ｂ．「管理装置」には、全駐車場の入庫・出庫の管理に必要なデータ及び料金を支払わずに出庫する不正出庫に関する全てのデータを保持しており、また、個々の車両の入庫・出庫のたびにデータ授受処理が発生することから、高性能でデータ容量の大きい処理装置を必要とし、また、運用は２４時間無停止であることが求められるため、設置、運用にかかる費用が高額となる。
【０００５】
また、他の技術として、車室単位に入退場を管理する形態の駐車場では、ゲート式駐車場と異なり、駐車券を発行しないが、駐車場周辺の店舗での買い物に応じて駐車料金の割引サービスを提供する場合は、駐車場に駐車券発行機を設置し、店舗に設置した割引認証器で駐車券に買い上げ金額に応じた割引情報を記録し、料金精算機で駐車券の割引情報を読み取り、割引金額を計算していた。駐車券は紙に磁性体粉末を塗布した磁気券であり、券の破損や磁石による磁気データの破損、紛失により利用できないトラブルが発生することがある。
【先行技術文献】
【特許文献】
【０００６】
【特許文献１】特許第５０４６５６０号公報
【発明の概要】
【発明が解決しようとする課題】
【０００７】
本発明が解決しようとする課題は、全ての駐車場を管理する管理装置の障害により駐車場の入庫・出庫の管理ができなくなるという欠点を解決し、かつ不正車両に対する処理を可能とする、ロック板のない駐車場管理システムを提供するものである。
さらには、本発明は、駐車券を発行せず、設置費用と運用費用を軽減できる割引サービスを提供することができる駐車場管理システムをも提案するものである。
【課題を解決するための手段】
【０００８】
請求項１に係る駐車場管理システムは、駐車場の車室毎に車両の入庫と出庫を管理し、利用者から駐車料金を徴収する駐車場管理システムであって、駐車場に設け、車両の車室への入庫と出庫を管理する入出庫管理装置と、駐車場に設け、入出庫管理装置と通信し、車室への車両の入庫と出庫を検知するための車両感知器と、駐車場に設け、入出庫管理装置と通信し、車両の車両番号を認識する車両番号認識装置と、入出庫管理装置と通信し、利用者から駐車料金の支払いを受けるための料金精算手段と、所定の駐車場の全ての入出庫管理装置と通信ネットワークを介して通信可能な不正出庫サーバと、不正出庫サーバに設け、不正出庫の一件ごとに、車両番号に関連付けて、駐車場を識別する駐車場ＩＤ、車室番号、入庫時の日付・時刻、出庫時の日付・時刻、料金額を記録する不正出庫車両データベースと、入出庫管理装置に設けた記憶装置に記録される不正出庫車両リストとからなり、利用者が駐車料金を支払いせずに車両を出庫した場合、車両番号認識装置が認識した不正出庫車両の車両番号に関連付けて、駐車場を識別する駐車場ＩＤ、車室番号、入庫時の日付・時刻、出庫時の日付・時刻、料金額を、不正出庫サーバの不正出庫車両データベースに記録し、不正出庫サーバは、不正出庫車両データベースから不正出庫車両の車両番号を抽出した不正出庫車両リストを作成し、不正出庫サーバと通信ネットワークで接続している全ての入出庫管理装置へ、不正出庫車両リストを送信し、入出庫管理装置は不正出庫車両リストを受信して記憶装置に記録し、入出庫管理装置は、車両検知器からの車両検知信号で車両が入庫したことを検知し、車両番号認識装置へ指示し駐車車両の車両番号を得て、前記不正出庫車両リストを検索して、不正出庫車両リストに当該車両番号が存在している場合、入出庫管理装置から不正出庫サーバへ不正出庫車両が入庫したことを当該車両番号とともに送信し、不正出庫サーバは、当該車両番号と、不正出庫車両データベースに当該車両番号に関連付けて記録された、駐車場を識別する駐車場ＩＤ、車室番号、入庫時の日付・時刻、出庫時の日付・時刻、料金額を、あらかじめ定められた連絡先へ通知する、ことを特徴とするものである。
【０００９】
請求項２に係る駐車場管理システムは、請求項１に記載のものにおいて、入庫した車両の車両番号が不正出庫車両リストに存在した場合、入出庫管理装置から不正出庫車両が入庫したこととともに当該車両番号の通知を受けた不正出庫サーバは、当該車両番号と、不正出庫車両データベースに当該車両番号に関連付けて記録された、駐車場を識別する駐車場ＩＤ、車室番号、入庫時の日付・時刻、出庫時の日付・時刻、料金額のデータを、不正出庫車両が入庫したことを通知してきた入出庫管理装置へ送信し、当該送信されたデータを受信した入出庫管理装置は、料金精算手段へ同データを送信し、料金精算手段は、今回の駐車場利用の料金と、不正出庫のときの駐車場利用の料金を合わせて利用者から徴収する、ことを特徴とするものである。
【００１０】
請求項３に係る駐車場管理システムは、請求項１又は２のいずれかに記載のものにおいて、車両番号認識装置が、カメラで撮影したナンバープレートの画像から車両番号を認識するものであるか、ＥＴＣ車載器に記録された車両番号をＤＳＲＣ路側機で認識するものであるか、車両に取り付けたＲＦＩＤタグに記録された車両番号をＲＦＩＤリーダで読み取るか、いずれかの装置であることを特徴とするものである。
【００１１】
請求項４に係る駐車場管理システムは、駐車場の利用者に、駐車場周辺の所定の商業施設での取引に応じて駐車料金の割引サービスを提供する駐車場管理システムであって、駐車場に、車両の駐車場への入庫と駐車場からの出庫を管理する入出庫管理装置を設け、入出庫管理装置に、利用者のカードを読むためのカードリーダを有し、料金精算手段に、利用者のカードを読むためのカードリーダを有し、所定の商業施設に、利用者のカードを読むためのカードリーダを有する割引認証器を置き、入出庫管理装置を通信ネットワークで接続するとともに所定の商業施設の割引認証器を通信ネットワークで接続する割引サーバであって、所定の商業施設での取引に応じて駐車料金を割引するための割引データを記録する割引データベースを有する割引サーバを設け、利用者が駐車場へ入庫したとき、利用者は自己が保有しＩＤ番号が記録されているカードを入出庫管理装置のカードリーダへ読み込ませ、入出庫管理装置は、入出庫管理装置のカードリーダがカードから読み出したＩＤ番号に関連付けて入庫時刻をメモリに記録し、利用者が所定の商業施設で取引を行うと、当該商業施設の割引認証器で利用者のカードに記録されているＩＤ番号を読み込み、割引認証器に記録されている店舗ＩＤと取引金額と取引時刻とともに、割引サーバへ送り、割引サーバは、送られてきたカードのＩＤ番号に関連付けて、店舗ＩＤと取引金額と取引時刻を割引データベースに記録し、利用者が料金を支払うときには、利用者のカードを料金精算手段のカードリーダに読み込ませて、カードのＩＤ番号を読み出し、入出庫管理装置はメモリにカードのＩＤ番号に関連付けて記録されている入庫時刻を読み出し、入出庫管理装置は割引サーバへカードのＩＤ番号と入庫時刻を送って割引情報を問い合わせし、割引サーバは当該ＩＤ番号に関連付けて記録されている全ての取引金額、取引時刻、店舗ＩＤを割引データベースから読み出して、入庫時刻以降の取引について店舗ＩＤ毎に取引金額に対応する割引情報を全て考慮して計算した割引情報として入出庫管理装置へ送り、入出庫管理装置は受け取った割引情報を料金精算手段に送り、料金精算手段は、駐車料金の計算に、割引情報を加味して料金を算出し、割引サーバは、利用者へ提供された割引の金額を店舗ＩＤごとに定期的に集計し、商業施設及び駐車場事業者の両方、またはそのいずれかへ集計結果を通知する、ことを特徴とするものである。
【００１２】
請求項５に係る駐車場管理システムは、請求項４に記載したものにおいて、料金精算手段は、利用者が携行する携帯端末にカードリーダと料金精算機能を持つソフトウェアを有し、携帯端末が入出庫管理装置と無線通信により通信し、携帯端末が有する所定の決済手段により、駐車料金を支払うものであることを特徴とする、ものである。
【００１３】
請求項６に係る駐車場管理システムは、請求項５に記載したものにおいて、利用者が携行する携帯端末と入出庫管理装置との無線通信が、ＮＦＣ又はＢｌｕｅｔｏｏｔｈ（登録商標；以下、記載を省略する）又は無線ＬＡＮ又はモバイル通信によるものであることを特徴とするものである。
【００１４】
請求項７に係る駐車場管理システムは、請求項１〜３のいずれか一に記載したものにおいて、請求項４〜６のいずれか一に記載したものであることを特徴とするものである。
【００１５】
請求項８に係る駐車場管理システムは、請求項４〜７のいずれか一に記載したものにおいて、利用者が保有するカードが、ＩＣカードであるか、ＩＣチップを内蔵した携帯電話機であるか、ＩＣチップを内蔵したスマートフォンであるか、ＩＣチップを内蔵した携帯ゲーム機であるか、磁気カードであるかまたは、バーコード、文字もしくは図形を記録したカードであり、カードリーダは、ＩＣチップリーダ、磁気リーダ、バーコードリーダ、文字認識装置または図形認識装置であることを特徴とするものである。
【発明の効果】
【００１６】
請求項１に係る駐車場管理システムによると、駐車場を利用する車両に対する入出庫の管理は、各駐車場に備える入出庫管理装置により車両の入出庫の管理を行い、不正出庫の履歴のある車両が入庫した場合、当該入出庫管理装置に設けた不正出庫車両リストをその車両の車両番号により検索し、当該車両番号が存在しているときは、通信ネットワークを介して不正出庫サーバに不正出庫車両が入庫したことを当該車両番号とともに送信し、不正出庫サーバは不正出庫車両データベースに記録された、駐車場を識別する駐車場ＩＤ、車室番号、入庫時の日付・時刻、料金額を、通知する。駐車場を利用する車両に対する入出庫の管理、駐車料金の計算、料金の徴収のために大規模なセンターサーバを必要とせずに、不正出庫車両の情報を広範囲の駐車場で共有することができる。不正出庫車両が入庫すれば、そのことを検知して全駐車場を管理する管理センターへ通知するとともに、不正出庫車両に対し、未払い料金を課金することができる。そして、センターサーバや通信ネットワークの障害により、駐車車両の入庫出庫時間から料金を徴収するという基本機能が停止する致命的なシステムダウンが発生することがない。
【００１７】
請求項２に係る駐車場管理システムによると、請求項１において、入庫した車両の車両番号が不正出庫車両リストに存在した場合、入出庫管理装置から不正出庫車両が入庫したこととともに当該車両番号の通知を受けた不正出庫サーバは、当該車両番号と、不正出庫車両データベースに当該車両番号に関連付けて記録された、駐車場を識別する駐車場ＩＤ、車室番号、入庫時の日付・時刻、料金額のデータを、不正出庫車両が入庫したことを通知してきた入出庫管理装置へ送信し、当該送信されたデータを受信した入出庫管理装置は、料金精算手段へ同データを送信し、料金精算手段は、今回の駐車場利用の料金と、不正出庫のときの駐車場利用の料金を合わせて利用者から徴収することができる。
【００１８】
請求項３に係る駐車場管理システムによると、請求項１又は２において、車両番号認識装置が、カメラで撮影したナンバープレートの画像から車両番号を認識するものであるか、ＥＴＣ車載器に記録された車両番号をＤＳＲＣ路側機で認識するものであるか、車両に取り付けたＲＦＩＤタグに記録された車両番号をＲＦＩＤリーダで読み取るか、いずれかの装置であり、種々のものが利用可能である。
【００１９】
請求項４に係る駐車場管理システムによると、従来買い上げ金額に応じた割引情報を記録するために発行していた磁気式駐車券を発行することなく、利用者が保有するカードのＩＤ番号を使って個々の利用者を識別し、商業施設としての提携店舗での買い上げに応じた割引サービスを提供することができる。
【００２０】
請求項５に係る駐車場管理システムによると、利用者は駐車料金の精算を、駐車場に設置した料金精算機だけでなく、自己が携行する携帯端末により行うことができる。
【００２１】
請求項６に係る駐車場管理システムによると、利用者が駐車料金を精算するとき利用者の携帯端末と入出庫管理装置の間の無線通信は、ＮＦＣ又はＢｌｕｅｔｏｏｔｈ又は無線ＬＡＮ又はモバイル通信を用いることができる。
【００２２】
請求項７に係る駐車場管理システムによると、請求項４〜６のいずれか一に係る発明を、請求項１〜３に記載のものに応用することができ、請求項４〜６のいずれか一に係る発明の効果とともに請求項１〜３に記載の効果を実現することができる。
【００２３】
請求項８に係る駐車場管理システムによると、請求項４〜７のいずれか一に記載した発明の効果とともに、利用者が保有するカードを、ＩＣカード、ＩＣチップを内蔵した携帯電話機、ＩＣチップを内蔵したスマートフォン、ＩＣチップを内蔵した携帯ゲーム機、磁気カードまたは、バーコード、文字もしくは図形を記録したカードを用いることができ、カードリーダとして、ＩＣチップリーダ、磁気リーダ、バーコードリーダ、文字認識装置または図形認識装置を用いることができる。
【図面の簡単な説明】
【００２４】
【図１】駐車場管理システムのシステム構成を説明する図である。
【図２】駐車場管理システムによる実施方法を示したフロー図である。
【図３】駐車場管理システムによる実施方法を示したフロー図である。
【図４】駐車場管理システムによる実施方法を示したフロー図である。
【実施例１】
【００２５】
図１は、本発明に係る駐車場管理システムのシステム構成を説明する図であって、１０１はシステム内の駐車場、１０２１〜１０２３は駐車場１０１内の車室、１０３は入出庫管理装置、１０４は入出庫管理装置１０３に設けられた不正出庫車両リスト、１０５１〜１０５３は各車室１０２１〜１０２３に設けられる車両検知器、１０６１〜１０６３は各車室１０２１〜１０２３に備えられるカメラ、１０７１〜１０７３は各車室１０２１〜１０２３に備えられるＩＣカードリーダ、１０８は駐車場１０１に設けられる車両番号認識装置、１０９は駐車場１０１に設けられる料金精算手段としての料金精算機、１１０は料金精算機１０９に設けられるＩＣカードリーダ、１１１は通信ネットワーク、１１２は不正出庫サーバ、１１３は不正出庫車両データベース、１１４は割引サーバ、１１５は割引データベース、１１６は本システムが適用される商業施設としての店舗、１１７は各店舗１１６に備えられる割引認証器、１１８は割引認証器１１７のＩＣカードリーダ、１１９１〜１１９３は駐車場管理運営会社である。
【００２６】
本システムが適用される駐車場（１０１）は、複数存在し、各駐車場（１０１）は駐車場管理運営会社１１９１〜１１９３のＡ社、Ｂ社又はＣ社のいずれかにより運営される。
不正出庫サーバ１１２は、通信ネットワーク１１１例えばインターネット経由でアクセス可能であり、不正出庫サーバ１１２は不正出庫車両データベース１１３を有する。不正出庫車両データベース１１３には、不正出庫の一件ごとに、車両番号に関連付けて、駐車場１０１を識別する駐車場ＩＤ、車室番号、入庫時の日付・時刻、出庫時の日付・時刻、料金額、支払済みの金額が記録される。
駐車場１０１の各車室１０２１〜１０２３の車両検知器１０５１〜１０５３は、車両の車室への入庫及び出庫を検知する。カメラ１０６１〜１０６３は車室に入庫する車両及び出庫するナンバープレートを含ませて車両を撮影する。車両番号認識装置１０８はカメラ１０６１〜１０６３が撮影した車両の画像から車両番号を認識する。入出庫管理装置１０３は車室毎に車両の入庫及び出庫を管理する。料金精算機１０９は入庫時刻と駐車時間から料金を計算し、利用者から料金を徴収する。
入出庫管理装置１０３と不正出庫サーバ１１２はインターネットによる通信ネットワーク１１１経由で通信し、料金精算機１０９と車両番号認識装置１０８とカメラ１０６１〜１０６３は、無線ＬＡＮ回線で通信する。入出庫管理装置１０３と車両検知器１０５１〜１０５３はシリアル回線で通信する。
【００２７】
不正出庫サーバ１１２は、不正出庫車両データベース１１３に記録されているデータから、料金未払いの履歴のある車両の車両番号のリストすなわち不正出庫車両リストの前日データとの差分を、例えば一日一回、入出庫管理装置１０３へ送り、入出庫管理装置１０３は、保持している不正出庫車両リストと送られた差分データから、不正出庫車両リスト１０４を更新して最新化する。不正出庫車両リスト１０４を保持していない入出庫管理装置１０３は、不正出庫サーバ１１２へ不正出庫車両リストを要求し、不正出庫サーバ１１２は、入出庫管理装置１０３へ不正出庫車両リストを送り、入出庫管理装置１０３は送られた不正出庫車両リスト１０４をメモリに記録する。不正出庫車両リスト１０４は入出庫管理装置１０３に設けられた記憶装置に記録されるデータである。
【００２８】
以下、駐車場を利用する場合の、システムの動作について、図１〜図４とともに、説明する。
利用者が車両を運転し、駐車場１０１の特定の車室１０２１（又は１０２２，１０２３）へ近づき、車両を進入させると、車両検知器１０５１（又は１０５２，１０５３）は車両が進入してきたことを検知して、入出庫管理装置１０３へ車両の進入の検知信号を送る。入出庫管理装置１０３は車両番号認識装置１０８へ車両番号を要求する。車両番号認識装置１０８はカメラ１０６１（又は１０６２，１０６３）へ車両の画像を要求する。カメラ１０６１（又は１０６２，１０６３）が車両画像を撮影して車両番号認識装置１０８へ送ると、車両番号認識装置１０８は車両画像からナンバープレートを抽出し文字認識して車両番号を読み取り、入出庫管理装置１０３へ送る。入出庫管理装置１０３は、不正出庫車両リスト１０４に前記読み取った車両番号がない場合、当該車室の車室番号に関連付けて、入庫時の日付・時刻及び車両番号をメモリに記録する。
【００２９】
利用者が駐車場の利用を終えて、出庫するときは、出庫の前に、利用者は、料金精算機１０９を操作して、駐車している車室１０２１の車室番号を入力する。料金精算機１０９は、入力された車室番号に関連付けて記録されている入庫時の日付・時刻を入出庫管理装置１０３へ問い合わせて読み出し、現在時刻との差分を計算して駐車時間を求めて、駐車料金を計算して金額を利用者へ表示する。利用者が表示された金額を支払うと、料金精算機１０９は精算完了として入出庫管理装置１０３へ通知するとともに利用者へ速やかに出庫するよう音声等で伝える。利用者が車両を運転して車室１０２１から退出すると、車両検知器１０５１は車両が退出したことを検知して、入出庫管理装置１０３へ車両の退出を送り、入出庫管理装置１０３は、当該車室１０２１の車室番号に関連付けて、出庫時の日付・時刻及び料金額をメモリに記録する。
【００３０】
次に、利用者が駐車場の利用を終えたが、料金を支払わずに出庫した場合について説明する。
利用者が車両を運転し、駐車している車室１０２１から車両を退出させようとして車両を移動させると、車両検知器１０５１は車両が退出しようとしていることを検知して、入出庫管理装置１０３へ車両の退出の検知信号を送る。入出庫管理装置１０３は車両番号認識装置１０８へ車両画像を要求し、車両番号認識装置１０８はカメラ１０６１へ車両の画像を要求する。カメラ１０６１は車両画像を撮影して車両番号認識装置１０８へ送り、車両番号認識装置１０８は車両画像を入出庫管理装置１０３へ送る。入出庫管理装置１０３は、当該車室１０２１の車室番号に関連付けて、出庫時の日付・時刻及び退出時の車両画像をメモリに記録する。
さらに、入出庫管理装置１０３は、料金を支払わずに出庫した車両（不正出庫車両という）について、入庫時の日付・時刻、車両番号、出庫時の日付・時刻、料金、車両画像とともに、駐車場ＩＤ、車室番号を不正出庫サーバ１１２へ送る。不正出庫サーバ１１２は、不正出庫車両データベース１１３に車両番号に関連付けて、入庫時の日付・時刻、出庫時の日付・時刻、料金額、車両画像、駐車場ＩＤ、車室番号を記録する（Ｐ２０１）。続いて、不正出庫サーバ１１２は、前記記録した不正出庫車両の車両番号を、全ての入出庫管理装置へ送る。入出庫管理装置１０３は、不正出庫車両リスト１０４に送られた不正出庫車両の車両番号を追加記録する（Ｐ２０２）。
【００３１】
次に、不正出庫車両リスト１０４に記録されている車両を利用者が運転し、駐車場１０１の車室１０２１へ近づき、車両を進入させると、車両検知器１０５１は車両が進入してきたことを検知して、入出庫管理装置１０３へ車両の進入検知信号を送る。入出庫管理装置１０３は車両番号認識装置１０８へ車両番号を要求する。車両番号認識装置１０８はカメラ１０６１へ車両の画像を要求し、カメラ１０６１が車両画像を撮影して車両番号認識装置１０８へ送ると、車両番号認識装置１０８は文字認識して車両番号を読み取り、入出庫管理装置１０３へ送る。入出庫管理装置１０３は、不正出庫車両リスト１０４に前記読み取った車両番号が存在するため、当該車室の車室番号に関連付けて、入庫時の日付・時刻及び車両番号に加えて、不正出車両であることをメモリに記録する。続けて、入出庫管理装置１０３は、不正出庫サーバ１１２へ前記不正出庫車両の車両番号を送り（Ｐ２０３）、不正出庫に伴うデータを要求し、不正出庫サーバ１１２は不正出庫車両データベースから車両番号に関連付けて記録されている入庫時の日付・時刻、出庫時の日付・時刻、料金額、車両画像、駐車場ＩＤ、車室番号を読み出して、同データを入出庫管理装置１０３へ送る（Ｐ２０４）（Ｐ３０１）。
不正出庫サーバ１１２は、予め登録されている所定のメールアドレスへ、不正出庫履歴のある車両が入庫したこと、その駐車場がどこか、車室番号などをメールにて通知する。
入出庫管理装置１０３は、当該車室の車室番号に関連付けて、不正出が行われたときの入庫時の日付・時刻、出庫時の日付・時刻、料金額、車両画像、駐車場ＩＤ、車室番号を記録する。
【００３２】
さらに、不正出庫の履歴のある車両の利用者が駐車場の利用を終えて出庫するときは、出庫する前に、利用者は、料金精算機１０９を操作して、駐車している車室の車番番号を入力する。料金精算機１０９は、入出庫管理装置１０３に問い合わせて、入力された車室番号に関連付け記録されている入庫時の日付・時刻及び不正出庫車両であることを読み出し、現在時刻との差分を計算して駐車時間を求めて、今回の駐車料金を計算する。さらに、入出庫管理装置１０３は、不正出庫が行われたときの料金をメモリから読み出し料金精算機１０３に送る（Ｐ３０２）。料金精算機１０３は、入出庫管理装置１０３から受けた不正出庫が行われたときの料金を受けて、利用者へ前回利用の料金を加算した金額であることを音声で伝えて、今回の利用料金と不正出庫が行われたときの料金の合計金額を利用者へ表示する。利用者が表示された金額を支払う（Ｐ３０２）と、精算完了として利用者へ速やかに出庫するよう音声等で伝える。利用者が車両を運転して車室から退出すると、車両検知器１０５１は車両が退出したことを検知して、入出庫管理装置１０３へ車両の退出検知をした検知信号を送る。入出庫管理装置１０３は、当該車室の車室番号に関連付けて、出庫の日付・時刻及び料金額をメモリに記録する。さらに、入出庫管理装置１０３は、不正出庫時の料金を支払い出庫した車両について、車両番号と不正出庫車両データの削除の依頼を不正出庫サーバ１１２へ送る。不正出庫サーバ１１２は、不正出庫車両データベース１１３に車両番号に関連付けて記録されているデータを削除する。続いて、不正出サーバ１１２は、前記削除した不正出庫車両の車両番号を、各駐車場１０１の各入出庫管理装置１０３及び各料金精算機１０９へ送り、入出庫管理装置１０３は、不正出庫車両リストから送られた不正出車両の車両番号を削除する。
【００３３】
上記の説明において、車両番号認識装置１０８は、カメラで撮影したナンバープレートの画像から車両番号を認識するものを例示したが、ＥＴＣ車載器に記録された車両番号をＤＳＲＣ（Ｄｅｄｉｃａｔｅｄ  Ｓｈｏｒｔ  Ｒａｎｇｅ  Ｃｏｍｍｕｎｉｃａｔｉｏｎ：スポット通信）路側機で認識するものであるか、車両に取り付けたＲＦＩＤ（Ｒａｄｉｏ  Ｆｒｅｑｕｅｎｃｙ  ＩＤｅｎｔｉｆｉｃａｔｉｏｎ「電波による個体識別」）タグに記録された車両番号をＲＦＩＤリーダで読み取るように構成したいずれかの車両番号認識装置であっても良い。
【実施例２】
【００３４】
図１において、割引サーバ１１４はインターネットを利用した通信ネットワーク１１１経由でアクセス可能となる。割引サーバ１１４には、割引データベース１１５を有する。
割引データベース１１５には、商業施設としての例えば店舗１１６等の施設での取引として買い上げの一件ごとに、カードのＩＤ番号に関連付けて、買い上げの日付・時刻、買い上げの金額が記録される。
駐車場の入出庫管理装置１０３には、利用者が保有するカードのＩＤ番号を読み取るカードリーダ１０３２を接続する。入出庫管理装置１０３と割引サーバ１１４はインターネット経由で通信する。
駐車場１０１にカードリーダ１１０を搭載した料金精算機１０９を置き、利用者は、現金、クレジット、電子マネーなどで料金を支払うことができる。料金精算機１０９は、入出庫管理装置１０３とシリアル回線で接続する。
本駐車場システムとの提携店舗１１６に、割引認証器１１７を置く。割引認証器１１７は、利用者が保有するカードのＩＤ番号を読み取るカードリーダと、テンキーなど買い上げ金額を入力する手段を有し、メモリに店舗ＩＤが記録されており、割引サーバ１１４とインターネット経由で通信できる。
【００３５】
駐車場１０１の利用者が提携店舗１１６で買い物をして、店舗１１６から割引サービスを受ける場合の、システムの動作について、説明する。
利用者が車両を入庫するとき、利用者は駐車場１０１の入出庫管理装置１０３に設けたカードリーダ１０３２に利用者が保有する電子マネーのＩＣカードをタッチし、カードリーダ１０３２はＩＣカードに記録されているＩＤ番号を読み取り、入出庫管理装置１０３に送る（Ｐ４０１）。利用者が保有するＩＣカードをタッチするカードリーダは、入出庫管理装置１０３に設けたものに限らず、各車室１０２１〜１０２３に備えられるＩＣカードリーダ１０７１〜１０７３によっても良い。
入出庫管理装置１０３は、入庫時の日付・時刻とともにＩＣカードのＩＤ番号をメモリに記録する（Ｐ４０２）。
【００３６】
利用者が駐車場１０１から出て目的の場所や周辺の店舗１１６で買い物や飲食をして代金を支払うとき、店舗１１６の店員は、割引認証器１１７に利用者のＩＣカードをタッチするように促し、買い上げ金額をテンキーで入力すると、割引認証器１１７は、カードリーダ１１０で読み取ったＩＣカードのＩＤ番号と店舗ＩＤと買い上げ金額と買い上げ時刻を割引サーバ１１４へ送る（Ｐ４０３）。割引サーバ１１４は、送られたＩＣカードのＩＤ番号に関連付けて、店舗ＩＤと買い上げ金額と買い上げ時刻を割引データベース１１５に記録する（Ｐ４０４）。
【００３７】
利用者が駐車料金の支払いをするとき、利用者は、ＩＣカードを料金精算機１０９のカードリーダ１１０にタッチし、カードリーダ１１０は、ＩＣカードのＩＤ番号を読み取る。料金精算機１０９は、入出庫管理装置１０３へＩＣカードのＩＤ番号を送り、入出庫管理装置１０３はカードのＩＤ番号に関連付けてメモリに記録されている入庫時刻を読み出し、割引サーバ１１４へカードのＩＤ番号と入庫時刻を送って割引額を問い合わせる（Ｐ４０５）。割引サーバ１１４は同ＩＤ番号に関連付けて記録されている全ての買い上げ（取引）金額、買い上げ（取引）時刻を割引データベース１１５から読み出して、当該入庫時刻以降の買い上げについて店舗ＩＤ毎に買い上げ金額に対応する割引金額または駐車時間のサービスを含む割引情報を全て考慮した所定の方法で計算した割引情報として入出庫管理装置１０３へ送る（Ｐ４０６）。入出庫管理装置１０３は受け取った割引情報を料金精算機１０９へ送り、料金精算機１０９は、駐車料金を計算するとき、割引情報を加味して料金から減額する（Ｐ４０７）。加味の仕方として、例えば、駐車料金から割引金額を差し引いて減額する、あるいは駐車利用時間から割引時間分を減じた課金対象時間に対する料金へ減額する。例えば、買い物・飲食等の利用金額合計が５千円までは１時間引き、１万円までは２時間引き、それ以上は３時間引き、映画館利用の場合は２時間引きなどとする。例えば、駐車場利用の時間が３時間で、３千円の買い物とレストランで食事３千円ならば、１時間分の料金となり、これを考慮して、駐車場利用料金に反映させる。
割引サーバ１１４は、定期的に例えば一ヶ月単位で、店舗ＩＤ毎に利用者へ提供した割引サービスの金額を集計し、予め登録してあるアドレスへメール等で店舗及び駐車場事業者へ通知する（Ｐ４０８）。駐車場事業者は店舗へ割引額に応じて代金を請求する。
【００３８】
上記駐車料金精算について、駐車場の利用者が携行する携帯電話機、スマートフォン等の携帯端末にカードリーダと料金精算機能を持つソフトウェアを有し、携帯端末が入出庫管理装置と無線通信により通信し、携帯端末が有する所定の決算手段により、駐車料金を支払うようにしてもよい。カード機能をもつものとして、ＩＣカード、携帯端末に内蔵したＩＣチップ、磁気カード、バーコード付きカードなどで実現し、これらの情報を読み取る。携帯端末による決済方法として、クレジットカードあるいは電子マネーによる。
このときの利用者が携行する携帯端末と入出庫管理装置との無線通信は、ＮＦＣ（Ｎｅａｒ  Ｆｉｅｌｄ  Ｃｏｍｍｕｎｉｃａｔｉｏｎ．  ＩＳＯ／ＩＥＣ  １８０９２，２１４８１）又はＢｌｕｅｔｏｏｔｈ又は無線ＬＡＮにより行うことができる。無線ＬＡＮの場合、入出庫管理装置１０３と直接通信する方法と、インターネットを経由して通信する方法があり、また、モバイル通信の場合はインターネットを経由して通信することにより、駐車場内でなくとも例えば近隣店舗内で駐車料金の支払を行うことができる。
【００３９】
以上は、車室単位で入出庫を管理する駐車場を想定した実施例であるが、駐車場の出入り口にゲートを設ける駐車場で、入出庫管理装置は、入口に設置する入場機と出口に設置する出場機で構成し、カードリーダは、入場機に搭載して、利用者のＩＣカード入り口ゲートで入場機のカードリーダにタッチすることでＩＤ番号を読み取る形態でも良い。
【００４０】
また、利用者が保有するカードがＩＣカードである場合の例を説明したが、当該カード機能を作用するものとして、ＩＣチップを内蔵した携帯電話機であるか、ＩＣチップを内蔵したスマートフォンであるか、ＩＣチップを内蔵した携帯ゲーム機であるか、磁気カードであるかまたは、バーコード、文字もしくは図形を記録したカードとし、カードリーダは、前記カード機能を作用するものに応じてそれぞれ、ＩＣチップリーダ、磁気リーダ、バーコードリーダ、文字認識装置または図形認識装置にしても良い。
【符号の説明】
【００４１】
１０１  駐車場
１０２１〜１０２３  車室
１０３  入出庫管理装置
１０４  不正出庫車両リスト
１０５１〜１０５３  車両検知器
１０６１〜１０６３  カメラ
１０７１〜１０７３  ＩＣカードリーダ
１０８  車両番号認識装置
１０９  料金精算機
１１０  ＩＣカードリーダ
１１１  通信ネットワーク
１１２  不正出庫サーバ
１１３  不正出庫車両データベース
１１４  割引サーバ
１１５  割引データベース
１１６  店舗
１１７  割引認証器
１１８  ＩＣカードリーダ
１１９１〜１１９３  駐車場管理運営会社
【図１】
2014222477.tif 000003
【図２】
2014222477.tif 000004
【図３】
2014222477.tif 000005
【図４】
2014222477.tif 000006